(57)【要約】      （修正有）【課題】駆除対象の害虫による液体ベイト剤の喫食効率が高く、高い殺虫効果が得られる害虫駆除装置を提供する。【解決手段】含浸体１０と、害虫駆除用の液体ベイト剤が収容されたボトル１２と、ボトル１２の注出口を封じる封止片と、注出口を下に向けた状態でボトル１２を支持する、含浸体１０を下から上に貫通する突起部３４を備える台座１６と、を備え、台座１６によって含浸体１０の上方においてボトル１２が倒立状態で支持された状態で、突起部３４が前記封止片を貫通し、ボトル１２から含浸体１０に液体ベイト剤が供給される、害虫駆除装置１。【選択図】図１
2017158518.tif 000002
【特許請求の範囲】
【請求項１】
含浸体と、液体ベイト剤が収容されたボトルと、を備え、前記含浸体の上方に、注出口を下に向けた状態で設置された前記ボトルから前記含浸体に前記液体ベイト剤が供給される、害虫駆除装置。
【請求項２】
前記ボトルの注出口を封じる封止片と、
前記含浸体を下から上に貫通する突起部、及び前記ボトルが前記突起部上に位置するように、注出口を下に向けた状態で前記ボトルを支持する支持部を備える台座と、をさらに備え、
前記ボトルが前記台座に装着された状態で前記突起部が前記封止片を貫通し、前記ボトルから前記含浸体に液体ベイト剤が供給される、請求項１に記載の害虫駆除装置。
【発明の詳細な説明】
【技術分野】
【０００１】
本発明は、害虫駆除装置に関する。
【背景技術】
【０００２】
ゴキブリ等の害虫を駆除する方法としては、ピレスロイド系、有機リン系又はカーバメイト系等の殺虫有効成分を、直接害虫に対して噴霧する方法、又は所定の場所に噴霧しておく方法が知られている。しかし、該方法には、殺虫成分の噴霧量が多く、噴霧された殺虫成分を使用者が吸い込む懸念がある。
【０００３】
一方、殺虫成分を噴霧せずに害虫を駆除する方法として、殺虫有効成分を含むベイト剤を害虫に喫食させる方法が提案されている。ベイト剤としては、食餌成分と殺虫有効成分とを含む水溶液からなる液体ベイト剤が知られている。例えば、ボトル内に上端面が露出するように吸液芯が挿し込まれた害虫駆除装置を使用し、前記ボトル内に液体ベイト剤を収容する。これにより、吸液芯に吸い上げられた液体ベイト剤を該吸液芯の上端面から害虫が喫食することで、害虫が死に至る。
【０００４】
このような害虫駆除装置としては、上に向かうにつれて窄んだドーム状のボトル部と、該ボトル部の頂点部分で上端面が露出するように挿し込まれた吸液芯とを備える害虫駆除装置が提案されている（特許文献１）。
【先行技術文献】
【特許文献】
【０００５】
【特許文献１】特開２０１５−３３３７４号公報
【発明の概要】
【発明が解決しようとする課題】
【０００６】
しかし、特許文献１のような従来の害虫駆除装置では、駆除対称の害虫による液体ベイト剤の喫食効率が充分に高くなく、殺虫効果はいまだ充分とは言えない。
【０００７】
本発明は、駆除対称の害虫による液体ベイト剤の喫食効率が高く、高い殺虫効果が得られる害虫駆除装置を提供することを目的とする。
【課題を解決するための手段】
【０００８】
本発明は、以下の構成を有する。
［１］含浸体と、液体ベイト剤が収容されたボトルと、を備え、前記含浸体の上方に、注出口を下に向けた状態で設置された前記ボトルから前記含浸体に前記液体ベイト剤が供給される、害虫駆除装置。
［２］前記ボトルの注出口を封じる封止片と、前記含浸体を下から上に貫通する突起部、及び前記ボトルが前記突起部上に位置するように、注出口を下に向けた状態で前記ボトルを支持する支持部を備える台座と、をさらに備え、前記ボトルが前記台座に装着された状態で前記突起部が前記封止片を貫通し、前記ボトルから前記含浸体に液体ベイト剤が供給される、［１］に記載の害虫駆除装置。
【発明の効果】
【０００９】
本発明の害虫駆除装置では、駆除対称の害虫による液体ベイト剤の喫食効率が高く、高い殺虫効果が得られる。
【図面の簡単な説明】
【００１０】
【図１】本発明の害虫駆除装置の一例を示した正面図である。
【図２】図１の害虫駆除装置におけるボトルを示した断面図である。
【図３】図１の害虫駆除装置における台座を示した図であって、図３（Ａ）が台座全体を示した断面図であり、図３（Ｂ）が突起部近傍を拡大した断面図である。
【図４】図１の害虫駆除装置の突起部近傍を拡大した断面図である。
【図５】本発明の害虫駆除装置の他の例を示した断面図である。
【図６】本発明の害虫駆除装置の他の例を示した斜視図である。
【図７】比較例１で用いた害虫駆除装置を示した断面図である。
【発明を実施するための形態】
【００１１】
本発明の害虫駆除装置は、液体ベイト剤によるゴキブリ等の害虫の駆除に用いる容器であって、含浸体と、液体ベイト剤が収容されたボトルと、を備え、含浸体の上方に、注出口を下に向けた状態で設置されたボトルから含浸体に前記液体ベイト剤が供給されるものである。本発明の害虫駆除装置は、ゴキブリの駆除に特に有効である。
以下、本発明の害虫駆除装置の一例を示して説明する。
【００１２】
本実施形態の害虫駆除装置１は、図１〜４に示すように、含浸体１０と、液体ベイト剤Ｌが収容されたボトル１２と、ボトル１２における液体ベイト剤Ｌの注出口２６を封じるキャップ１４と、ボトル１２を倒立状態で支持する台座１６と、を備えている。
【００１３】
含浸体１０は、ボトル１２から供給された液体ベイト剤Ｌを保持する媒体である。含浸体１０の形状は、特に限定されず、例えば、円柱状、四角柱状等が挙げられる。含浸体１０の大きさは、特に限定されず、適宜設定することができる。例えば、含浸体の大きさを、ボトルの注出口よりも大きい、害虫が喫食しやすい（喫食を妨げない）大きさにすることもできる。
含浸体としては、特に限定されず、例えば、ガラス繊維、不織布、樹脂繊維、パルプ等で形成されたものや、ウレタンフォーム等の発泡成形体を用いることができる。
【００１４】
ボトル１２内に収容する液体ベイト剤Ｌとしては、特に限定されず、害虫の種類に応じて公知の液体ベイト剤を適宜使用することができる。液体ベイト剤としては、例えば、ネオニコチノイド系のジノテフラン、フェニルピラゾール系のフィプロニル、アミジノヒドラジゾン系のヒドラメチルノン、ホウ酸等の殺虫成分を含む水溶液が挙げられる。液体ベイト剤には、食餌成分、ゲル化剤、糖類、アルコール、界面活性剤、防腐剤、安定化剤、着色剤、着香剤、誤食防止剤等の任意成分が含まれていてもよい。
【００１５】
ボトル１２は、液体ベイト剤を収容するための容器である。本発明では、ボトルは液体ベイト剤を喫食する害虫の足場とならない。そのため、ボトルの形状は、液体ベイト剤を収容でき、かつ液体ベイト剤が注出される注出口が形成されたものであれば特に限定されない。この例のボトル１２は、図２に示すように、底面部１８と、底面部１８の周縁から立ち上がる筒状の側面部２０と、側面部２０の上端から突出し、上方に向かうにつれて窄まっている筒状の肩部２２と、肩部２２の上端から突出する円筒状の首部２４と、を備えている。ボトル１２においては、首部２４の上端開口部が注出口２６となっている。首部２４の外面には、ネジ溝２４ａが形成されている。
【００１６】
ボトルの大きさは、特に限定されず、設置場所や効果の持続期間等を考慮して適宜決定することができる。
ボトルの形状は、特に限定されず、例えば、円筒状であってもよく、多面体になっていてもよい。
ボトルの材質としては、液体ベイト剤の安定性に影響を与えない素材であればよく、例えば、ポリプロピレン、ポリエチレン等のオレフィンの他、ポリエチレンテレフタレート（ＰＥＴ）やガラス等が挙げられる。ボトルの材質は、１種のみであってもよく、２種以上であってもよい。
【００１７】
キャップ１４は、図２に示すように、円筒状の側壁部２８と、側壁部２８の上端開口部を閉じるように一体に形成された円板状の封止片３０とを備えている。側壁部２８の内面には、ボトル１２における首部２４のネジ溝２４ａに対応するネジ溝２８ａが形成されている。ボトル１２は、側壁部２８のネジ溝２８ａと首部２４のネジ溝２４ａとを合わせて、首部２４に螺合装着できるようになっている。これにより、ボトル１２の注出口２６は封止片３０で封じられている。
【００１８】
キャップの材質としては、液体ベイト剤の安定性に影響を与えない素材で、かつ後述する台座の突起部が封止片に突き刺さって貫通するものであればよく、例えば、ポリプロピレン、ポリエチレン等のオレフィン、ＰＥＴ等の樹脂が挙げられる。キャップの材質は、１種のみであってもよく、２種以上であってもよい。
【００１９】
台座１６は、含浸体１０上でボトル１２を倒立状態で保持するための部材である。また、台座１６は、液体ベイト剤Ｌを含む含浸体１０に子供やペット等が過って触れないための覆いの役割も果たす。
台座１６は、図３（Ａ）及び図３（Ｂ）に示すように、底面部３２と、底面部３２の中央部分から立ち上がる突起部３４と、ボトル１２を支持する支持部３６と、を備えている。支持部３６は、底面部３２の周縁から立ち上がる複数の支柱部３６ａと、複数の支柱部３６ａのそれぞれの上端部と接続された環状部３６ｂとを備えている。環状部３６ｂの下方の各支柱部３６ａの間は、害虫が外部から進入するための進入口３８になっている。
【００２０】
突起部３４は、円筒状になっており、下端から上方に向かって直線的に延びるスリット３４ａが複数形成されている。なお、突起部３４は、円筒状には限定されず、例えば、四角筒状等であってもよい。また、スリットの幅、長さ及び数は、特に限定されず、適宜設定することができる。
【００２１】
支持部３６は、ボトル１２が突起部３４上に位置するように、かつ注出口２６を下に向けた状態、すなわち倒立状態で支持する部分である。この例の支持部３６における環状部３６ｂの上面は、内側に向かうにつれて低くなる傾斜面４０を有している。傾斜面４０の傾斜角度は、ボトル１２における肩部２２の傾斜角度と同じになっている。これにより、ボトル１２を倒立状態で環状部３６ｂ内に嵌め込むことで、環状部３６ｂの傾斜面４０がボトル１２の肩部２２に接し、支持部３６によってボトル１２が安定して支持される。
【００２２】
台座１６に形成された進入口３８の高さは、害虫の進入性の観点から、３〜１０ｍｍが好ましく、３〜７ｍｍがより好ましい。
【００２３】
台座１６においては、含浸体１０の下から上に向かって突起部３４が貫通するように含浸体１０が設置される。含浸体１０は、その下面が台座１６における底面部３２に接するように設置することが好ましい。これにより、進入口３８から進入してきた害虫が含浸体１０から液体ベイト剤Ｌを喫食することが容易になる。
【００２４】
ボトル１２が倒立状態で台座１６に装着されて支持部３６で支持された状態においては、図４に示すように、台座１６の突起部３４がキャップ１４の封止片３０に突き刺さって貫通している。これにより、ボトル１２内の液体ベイト剤Ｌが突起部３４内に流れ込み、スリット３４ａを通じて含浸体１０に供給されるようになっている。
【００２５】
台座の大きさは、特に限定されず、設置場所等を考慮して適宜決定することができる。
台座の形状としては、ボトルに合わせて適宜設計すればよく、例えば、平面視形状が円形状、多角形状になっている台座であってもよい。
台座の材質としては、成形可能なものであれば特に限定されず、各種の樹脂、ガラス、金属等が使用できる。台座の材質は、１種であってもよく、２種以上であってもよい。
【００２６】
（作用効果）
以下、害虫駆除装置１の作用効果について説明する。
使用前の害虫駆除装置１においては、液体ベイト剤Ｌを収容した状態でキャップ１４が螺合装着され、注出口２６が封止片３０によって封じられたボトル１２が、台座１６に装着されていない状態になっている。
【００２７】
使用時には、ボトル１２を倒立状態として台座１６に装着し、所望の設置場所に害虫駆除装置１を設置する。ボトル１２を台座１６に装着することにより、台座１６の突起部３４がキャップ１４の封止片３０に突き刺さって貫通する。これにより、ボトル１２内の液体ベイト剤Ｌが突起部３４内に流れ込み、スリット３４ａを通じて含浸体１０に供給される。そして、進入口３８から台座１６内に進入した害虫が含浸体１０に辿り着き、含浸体１０から液体ベイト剤Ｌを喫食すると、死に至る。
なお、害虫駆除装置１においては、使用前にはボトル１２が正立状態で台座１６に装着され、使用時にボトル１２を上下反転させて倒立状態で台座１６に装着する態様とすることもできる。
【００２８】
このように、害虫駆除装置１においては、含浸体１０上にボトル１２が倒立状態で設置され、上方のボトル１２から下方の含浸体１０に向かって液体ベイト剤Ｌが供給される。そのため、害虫は含浸体１０に辿り着くまでにボトル１２に上る必要がなく、害虫の含浸体１０へのアクセス性が優れている。また、ボトル１２の形状に関係なく、含浸体１０の周囲の形状、この例では底面部３２の形状を平面状にすることができるため、喫食時の害虫の躯体が過度に屈曲することも抑制することもできる。これらのことから、駆除対象の害虫による液体ベイト剤Ｌの喫食効率を高くすることができるため、高い殺虫効果が得られる。
【００２９】
（製造方法）
害虫駆除装置１を製造する方法は、特に限定されず、公知の方法を適宜利用して製造することができる。例えば、中空成形で得たボトル１２内に液体ベイト剤Ｌを充填し、射出成形で得たキャップ１４をボトル１２の首部２４に装着する。また、射出成形で得た台座１６の突起部３４に含浸体１０を設置する。これにより、害虫駆除装置１が得られる。
【００３０】
前述した特許文献１のような従来の害虫駆除装置では、吸液芯から液体ベイト剤を喫食する害虫が、吸液芯が配置されている位置までボトルを上って行く必要があるため、害虫の吸液芯までのアクセス性が低い。また、吸液芯から液体ベイト剤を喫食する際の害虫の体勢もボトル形状に影響されて屈曲した状態となりやすい。これらのことから、害虫による液体ベイト剤の喫食効率が不十分となりやすい。
【００３１】
これに対して、本発明の害虫駆除装置では、上方に倒立状態で設置されたボトルから下方の含浸体に液体ベイト剤が供給されるため、該含浸体から液体ベイト剤を喫食する害虫はボトルに上る必要がなく、アクセス性に優れている。また、ボトルの形状に関係なく、含浸体の周辺を平面状にすることができるため、喫食時の害虫の躯体が屈曲することも抑制できる。そのため、駆除対象の害虫による液体ベイト剤の喫食効率が高くなることで、高い殺虫効果が得られる。
【００３２】
また、本発明の害虫駆除装置では、注出口が上を向くようにボトルを設置する従来の正立型の害虫駆除装置とは異なり、ボトルが害虫の足場とならないため、ボトル形状の自由度が高い。そのため、例えば、ボトル容量を増量して効力の持続期間を延長することも容易である。
また、本発明の害虫駆除装置は、パーツ数も少なく低コストである。
【００３３】
なお、本発明の害虫駆除装置は、前記した害虫駆除装置１には限定されない。例えば、本発明の害虫駆除装置は、ボトルにキャップが装着されないものであってもよい。具体的には、アルミシール材等の台座の突起部が貫通可能なシール部材がボトルの注出口に貼り付けられることよって、該注出口が直接封じられたものであってもよい。
【００３４】
本発明の害虫駆除装置では、害虫による液体ベイト剤の喫食を阻害しない範囲であれば、図５に示すように、台座１６の底面部３２における含浸体１０の周りに全周にわたって環状の枠４１を設けてもよい。枠４１を設けることで、含浸体１０から液体ベイト剤Ｌが装置外へと漏れ出すことを抑制することが容易になる。含浸体の周囲にこのような枠の設ける場合、枠の高さは、１〜１５ｍｍが好ましい。
また、害虫駆除装置は、台座の底面部の上面側に凹部を形成し、該凹部に含浸体を嵌め込み、該含浸体の上端面と台座の底面部の上面とが面一となる態様としてもよい。このような態様でも、含浸体から液体ベイト剤が装置外へと漏れ出すことを抑制することが容易になる。
【００３５】
本発明の害虫駆除装置は、図６に例示した害虫駆除装置２であってもよい。害虫駆除装置２は、含浸体１０と、ボトル４２と、キャップ４４と、台座５０とを備える。ボトル４２及びキャップ４４は、害虫駆除装置１のボトル１２及びキャップ４４と同様の態様である。
【００３６】
台座５０は、平面視形状が矩形状の底面部５２と、底面部５２の中央部分から立ち上がる突起部５４と、底面部５２の周縁から立ち上がる周壁からなり、ボトル４２を支持する支持部５６と、を備えている。支持部５６には、正面視形状が矩形状の開口からなる４つの進入口５８が、底面部５２の各辺の中央に位置するように形成されている。突起部５４は、害虫駆除装置１の突起部３４と同様の態様である。
含浸体１０は、突起部５４が含浸体１０の下から上に貫通するように設けられている。
【００３７】
害虫駆除装置２においては、ボトル４２を倒立状態として台座５０に装着した状態で、支持部５６の上端部がボトル４２の肩部４６に当接することでボトル４２が支持される。また、台座５０の突起部５４がキャップ４４の封止片に突き刺さって貫通する。これにより、ボトル４２内の液体ベイト剤が突起部５４内に流れ込み、スリットを通じて含浸体１０に供給されるようになっている。
害虫駆除装置２においても、含浸体への害虫にアクセス性に優れ、喫食時の害虫の躯体が屈曲することを抑制できるため、駆除対象の害虫による液体ベイト剤の喫食効率が高くなり、高い殺虫効果が得られる。
なお、害虫駆除装置２においては、使用前にはボトル４２が正立状態で台座５０に装着され、使用時にボトル４２を上下反転させて倒立状態で台座５０に装着する態様とすることもできる。
【００３８】
本発明の害虫駆除装置は、台座を備えないものであってもよい。例えば、基板上に設けられた含浸体上に、倒立状態のボトルが直接設置された装置であってもよい。
【実施例】
【００３９】
以下、実施例によって本発明を詳細に説明するが、本発明は以下の記載によっては限定されない。
［殺虫効果試験］
餌、水、潜伏場所を設置した床面積０．２ｍ２のコンテナにクロゴキブリを１０頭放って馴化させた後、ボトル内に液体ベイト剤を充填した液体ベイト剤用容器を１つ設置した。２４時間後の致死率（ノックダウン含む）を計測し、以下の基準で殺虫効果を判定した。
＜判定方法＞
◎：致死率が６０％以上である。
○：致死率が５０％以上６０％未満である。
△：致死率が３０％以上５０％未満である。
×：致死率が３０％未満である。
【００４０】
［実施例１］
ジノテフラン（和光純薬工業株式会社製、「ジノテフラン標準品」）と水飴とを、ジノテフランの濃度が０．０５質量％、水飴の濃度が３０質量％となるように精製水に溶解して液体ベイト剤を調製した。図１〜４に例示した害虫駆除装置１のボトル１２内に該液体ベイト剤を充填してキャップ１４を螺合装着し、そのボトル１２を倒立状態で台座１６に装着し、殺虫効果試験に用いた。含浸体１０としては、パルプ製のシート材を使用した。
【００４１】
［比較例１］
実施例１と同様にして液体ベイト剤を調製し、図７に例示した害虫駆除装置１００を用いて殺虫効果試験を行った。
害虫駆除装置１００は、ボトル１１０と、中栓１１２と、吸液芯１１４と、カバー１１８とを、備えている。ボトル１１０は、ドーム状で上面の中央部に開口部１１０ａが形成されており、前記液体ベイト剤（液体ベイト剤Ｌ）が収容されている。中栓１１２は、ボトル１１０の開口部１１０ａに取り付けられている。吸液芯１１４は、中栓１１２の内側に挿し込まれることで設けられている。カバー１１８は、ボトル１１０の形状に沿うように湾曲しており、下端側の部分に複数の進入口１１６が形成されている。害虫駆除装置１００においては、進入口１１６からボトル１１０とカバー１１８の間に進入したゴキブリが、ボトル１１０を上って吸液芯１１４まで辿り着き、吸液芯１１４の上端面から液体ベイト剤を喫食できるようになっている。吸液芯１１４としては、ポリエチレン繊維とポリプロピレン繊維が１：１で熱融着されて形成された樹脂製の吸液芯を使用した。
【００４２】
各例の殺虫効果試験の結果を表１に示す。
【００４３】
【表１】
2017158518.tif 000003
【００４４】
表１に示すように、含浸体１０の上方に倒立状態で設置されたボトル１２から含浸体１０に液体ベイト剤が供給される害虫駆除装置１を用いた実施例１では、従来の正立型の害虫駆除装置１００を用いた比較例１に比べて、殺虫効果が高かった。
【符号の説明】
【００４５】
１、２  害虫駆除装置
１０  含浸体
１２、４２  ボトル
１４、４４  キャップ
１６、５０  台座
２６  注出口
３０  封止片
３４、５４  突起部
３６、５６  支持部
３８、５８  進入口
【図１】
2017158518.tif 000004
【図２】
2017158518.tif 000005
【図３】
2017158518.tif 000006
【図４】
2017158518.tif 000007
【図５】
2017158518.tif 000008
【図６】
2017158518.tif 000009
【図７】
2017158518.tif 000010